(57)【要約】【課題】加飾性を向上させる。【解決手段】光源１０ａ，１０ｂから照射された光によって発光する導光棒２０ａ，２０ｂと、端辺から入射した光が内部を進行し、端辺に囲まれた面にて光の一部を反射させる導光板３０とを有し、導光棒２０ａ，２０ｂは、導光板３０の２つの端辺のそれぞれに取り付けられ、導光板３０は、導光棒２０ａ，２０ｂに対してそれぞれ斜めに対向した反射面３２ａ，３２ｂを具備する凹部３１を一方の面に有する。【選択図】図１
2020087722.tif 000002
【特許請求の範囲】
【請求項１】
光源と、
前記光源から照射された光によって発光する複数の導光棒と、
端辺から入射した光が内部を進行し、前記端辺に囲まれた面にて前記光の一部を反射させる導光板とを有し、
前記導光棒は、前記導光板の少なくとも２つの前記端辺のそれぞれに対向する位置に、前記導光棒の長手方向が当該導光棒に対向する端辺に沿うように配置され、
前記導光板は、前記端辺に囲まれた面のうち少なくとも一方の面に凹部または凸部を具備し、
前記導光板の前記凹部または凸部を形成する面は、前記導光棒と前記端辺とが対向する方向に対して垂直または傾いた状態となることで前記複数の導光棒に対してそれぞれ正対または斜めに対向した反射面を具備する、イルミネーション板。
【請求項２】
請求項１に記載のイルミネーション板において、
前記光源は、前記複数の導光棒を互いに異なる色で発光させる、イルミネーション板。
【請求項３】
請求項１または請求項２に記載のイルミネーション板において、
前記光源は、前記複数の導光棒を排他的に発光させる、イルミネーション板。
【請求項４】
請求項１乃至３のいずれか１項に記載のイルミネーション板において、
前記反射面に鏡面加工が施されている、イルミネーション板。
【請求項５】
請求項１乃至４のいずれか１項に記載のイルミネーション板において、
前記凹部または凸部は、四角錐の形状である、イルミネーション板。
【発明の詳細な説明】
【技術分野】
【０００１】
本発明は、車両等に搭載される加飾部品を構成するイルミネーション板に関する。
【背景技術】
【０００２】
車両の内装を加飾する加飾部品は、従来より様々なものが製造、販売されている。近年、そのような加飾部品として、発光することで内装の高級感や車内の雰囲気を演出するものが考えられており、例えば、特許文献１に開示されている。
【０００３】
特許文献１に開示された技術は、透光性を有する透明なＰＣ樹脂等からなるオーナメント基材上に、透光部と遮光部とを有する加飾フィルムを接着し、オーナメント基材側に配置された光源ユニットから照射された光を、透光部においては透光させ、遮光部においては遮光することで、車両の内装を加飾するものである。このように構成された加飾部品においては、所望の形状に応じて印刷によって遮光部を形成することで、所望の形状に発光することとなり、それにより、車両の内装の加飾が実現されることになる。
【先行技術文献】
【特許文献】
【０００４】
【特許文献１】特開２０１４−２３１３１１号公報
【発明の概要】
【発明が解決しようとする課題】
【０００５】
しかしながら、特許文献１に開示された技術のように発光することで加飾を実現するものであっても、発光する部分と発光しない部分との２つの領域が存在するだけで、平面的で単調なイメージしか与えることができないという問題点がある。
【０００６】
本発明は、上述したような従来の技術が有する問題点に鑑みてなされたものであって、加飾性を向上させることができるイルミネーション板を提供することを目的とする。
【課題を解決するための手段】
【０００７】
上記目的を達成するために本発明は、
光源と、
光源から照射された光によって発光する複数の導光棒と、
端辺から入射した光が内部を進行し、前記端辺に囲まれた面にて前記光の一部を反射させる導光板とを有し、
前記導光棒は、前記導光板の少なくとも２つの前記端辺のそれぞれに対向する位置に、前記導光棒の長手方向が当該導光棒に対向する端辺に沿うように配置され、
前記導光板は、前記端辺に囲まれた面のうち少なくとも一方の面に凹部または凸部を具備し、
前記導光板の前記凹部または凸部を形成する面は、前記導光棒と前記端辺とが対向する方向に対して垂直または傾いた状態となることで前記複数の導光棒に対してそれぞれ正対または斜めに対向した反射面を具備する。
【０００８】
上記のように構成された本発明においては、光源から照射された光によって導光棒が発光すると、導光棒の発光による光は、導光板の導光棒に対向する端辺から導光板の内部に入射し、導光板の内部を進行していく。導光板の内部を進行した光は、導光板の端辺に囲まれた面にてその一部が反射することになるが、導光板には、端辺に囲まれた面のうち少なくとも一方の面に凹部または凸部が設けられており、導光板の凹部または凸部を形成する面が、導光棒と端辺とが対向する方向に対して垂直または傾いた状態となることで複数の導光棒に対してそれぞれ正対または斜めに対向した反射面を具備している。そのため、導光板の光が反射した面とは反対側の面からは、この面に対して斜めに対向した反射面にて反射した光が透過していくこととなり、それにより、奥行きや立体感がある光り方が認識される。また、これらの凹部または凸部の反射面にて反射した光は、その反射光を視認する方向や視点によって認識される明るさが変化することになるが、その認識される明るさの変化が、凹部または凸部の反射面、すなわち、複数の導光棒から導光板に入射した光毎に独立したものとなっていることで、イルミネーション板を視認する方向や視点によって互いに異なるイメージが認識されることになる。
【０００９】
また、光源によって複数の導光棒を互いに異なる色で発光させれば、複数の色を用いて上記作用が生じることとなり、加飾性がさらに向上する。
【００１０】
また、光源によって複数の導光棒を排他的に発光させれば、イルミネーション板を視認する方向や視点を変化させなくても、複数の導光棒の発光状態に応じて異なるイメージが認識されることになる。
【００１１】
また、反射面に鏡面加工が施されていれば、導光棒の発光によって導光板に入射して反射面から導光板の外部に透過した光が導光板の内部に入射することがなくなり、それにより、複数の導光棒のうち所望の導光棒の発光による光のみを視認させることができ、また、導光棒の発光による光を、ライン状等、細くシャープな形状として視認させることが可能となる。
【００１２】
また、凹部または凸部が四角錐の形状であれば、導光板として四角形の導光板を用いた場合に、導光板の４つの端辺のうち少なくとも任意の２つの端辺のそれぞれに対向する位置に導光棒を配置することで上述した作用が生じることになる。
【発明の効果】
【００１３】
本発明によれば、奥行きや立体感がある光り方が認識されるとともに、イルミネーション板を視認する方向や視点によって互いに異なるイメージが認識されることになり、加飾性を向上させることができる。
【００１４】
また、光源によって複数の導光棒を互いに異なる色で発光させるものにおいては、複数の色を用いて上記作用が生じることとなり、加飾性をさらに向上させることができる。
【００１５】
また、光源によって複数の導光棒を排他的に発光させるものにおいては、イルミネーション板を視認する方向や視点を変化させなくても、複数の導光棒の発光状態に応じて異なるイメージを認識させることができる。
【００１６】
また、反射面に鏡面加工が施されているものにおいては、導光棒の発光によって導光板に入射して反射面から導光板の外部に透過した光が導光板の内部に入射することがなくなり、それにより、複数の導光棒のうち所望の導光棒の発光による光のみを視認させることができ、また、導光棒の発光による光を、ライン状等、細くシャープな形状として視認させることが可能となる。
【００１７】
また、凹部または凸部が四角錐の形状であるものにおいては、導光板として四角形の導光板を用いた場合に、導光板の４つの端辺のうち少なくとも任意の２つの端辺のそれぞれに対向する位置に導光棒を配置することで上述した作用を生じさせることができる。
【図面の簡単な説明】
【００１８】
【図１】本発明のイルミネーション板の第１の実施の形態を示す図であり、（ａ）は表面側から見た図、（ｂ）は裏面側から見た図、（ｃ）は（ｂ）に示したＡ−Ａ’断面図である。
【図２】図１に示したイルミネーション板の導光棒の発光による導光板における作用効果を説明するための図である。
【図３】図１に示したイルミネーション板の導光棒の発光による導光板における作用効果を説明するための図である。
【図４】図１に示したイルミネーション板を視認する方向に応じた見え方の違いを説明するための図である。
【図５】図１に示したイルミネーション板を正面から視認した場合の作用効果を説明するための図である。
【図６】図１に示したイルミネーション板において２つの導光棒を排他的に発光させた場合の見え方の違いを説明するための図である。
【図７】本発明のイルミネーション板の第２の実施の形態を示す図であり、（ａ）は表面側から見た図、（ｂ）は裏面側から見た図、（ｃ）は（ｂ）に示したＡ−Ａ’断面図である。
【図８】図７に示したイルミネーション板の導光棒の発光による導光板における作用効果を説明するための図である。
【図９】図７に示したイルミネーション板の導光棒の発光による導光板における作用効果を説明するための図である。
【図１０】図７に示したイルミネーション板を視認する方向に応じた見え方の違いを説明するための図である。
【図１１】図７に示したイルミネーション板にて凹部の反射面を透過した光による作用を説明するための図である。
【図１２】本発明のイルミネーション板の第３の実施の形態を示す図であり、（ａ）は表面側から見た図、（ｂ）は裏面側から見た図、（ｃ）は（ｂ）に示したＡ−Ａ’断面図、（ｄ）は（ｂ）に示したＢ−Ｂ’断面図である。
【図１３】本発明のイルミネーション板の第４の実施の形態を示す図であり、（ａ）は表面側から見た図、（ｂ）は裏面側から見た図、（ｃ）は（ｂ）に示したＡ−Ａ’断面図である。
【発明を実施するための形態】
【００１９】
以下に、本発明の実施の形態について図面を参照して説明する。
【００２０】
（第１の実施の形態）
図１は、本発明のイルミネーション板の第１の実施の形態を示す図であり、（ａ）は表面側から見た図、（ｂ）は裏面側から見た図、（ｃ）は（ｂ）に示したＡ−Ａ’断面図である。
【００２１】
本形態は図１に示すように、２つの光源１０ａ，１０ｂ及び導光棒２０ａ，２０ｂと、長方形形状の導光板３０とから構成されたイルミネーション板１である。
【００２２】
光源１０ａ，１０ｂはそれぞれ、導光棒２０ａ，２０ｂの一端に取り付けられ、制御部（不図示）の制御によって導光棒２０ａ，２０ｂに対して光を照射する。
【００２３】
導光棒２０ａ，２０ｂはそれぞれ、合成樹脂等から構成され、導光板３０の２つの長辺のそれぞれに、導光棒２０ａ，２０ｂの長手方向が導光板３０の端辺に沿うようにして取り付けられている。これにより、導光棒２０ａ，２０ｂは、導光板３０の２つの端辺のそれぞれに対向する位置に、その長手方向が導光板３０の長辺に沿うように配置されていることになる。導光棒２０ａ，２０ｂはそれぞれ、一端に取り付けられた光源２０ａ，２０ｂから照射された光がその一端から入射して内部を進行することで発光する。
【００２４】
導光板３０は、アクリル等の合成樹脂等から構成され、外部から光が入射した場合、入射した光が内部を進行する。その後、進行した光が導光板３０の表面に達すると、その光の進行方向に対する導光板３０の表面の角度に応じて、導光板３０の表面に達した光の一部を外部に透過させるとともに、光の一部を内部に反射させる。本形態の導光板３０は、２つの長辺に導光棒２０ａ，２０ｂが取り付けられているため、導光棒２０ａ，２０ｂが発光することで導光板３０の２つの長辺から光が入射し、その後、入射した光が導光板３０の内部を進行し、導光板３０の端辺に囲まれた面に達すると、その面にて光の一部が外部に透過するとともに、内部に反射することになる。導光板３０の裏面には、複数の凹部３１が設けられている。複数の凹部３１は、導光板３０の長手方向に山脈状に互いに並行して延びて形成されており、それぞれの導光板３０の短手方向の断面が二等辺三角形となっている。そして、複数の凹部３１のそれぞれの斜面が、導光板３０の導光棒２０ａ，２０ｂが取り付けられた端辺から進行してきた光の一部を反射させる反射面３２ａ，３２ｂとなっている。これにより、複数の凹部３１を形成する面は、導光棒２０ａ，２０ｂと導光棒２０ａ，２０ｂが取り付けられた端辺とが対向する方向に対して傾いた状態となることで導光棒２０ａ，２０ｂに対してそれぞれ斜めに対向した反射面３２ａ，３２ｂを具備することになる。
【００２５】
以下に、上記のように構成されたイルミネーション板１による作用効果について説明する。
【００２６】
図２は、図１に示したイルミネーション板１の導光棒２０ａの発光による導光板３０における作用効果を説明するための図であり、導光板３０の短手方向の断面を示す。
【００２７】
図１に示したイルミネーション板１において、光源２０ａから光が照射されることで導光棒２０ａが発光すると、図２に示すように、導光板３０の導光棒２０ａが取り付けられた端辺から光が入射し、導光板３０内を光が進行していく。
【００２８】
そして、導光板３０の裏面には、断面が二等辺三角形となる凹部３１が設けられており、その凹部３１を形成する２つの面の一方が導光棒２０ａに対してそれぞれ斜めに対向しているため、この面が反射面３２ａとなって、導光板３０の導光棒２０ａが取り付けられた端辺から入射した光の一部が導光板３０の外部に透過するとともに一部が導光板３０の内部に反射することになる。反射面３２ａにて反射した光は、導光板３０の凹部３１が設けられた面に対向する面から透過していくことで、その面側から視認することができるが、視認される光の明るさは、導光板３０の導光棒２０ａが取り付けられた端辺から入射した光の反射面３２ａに対する入射角θ1と同じ大きさの反射角θ2の方向が最も明るくなり、その方向からずれるにしたがって徐々に暗くなっていく。
【００２９】
図３は、図１に示したイルミネーション板１の導光棒２０ｂの発光による導光板３０における作用効果を説明するための図であり、導光板３０の短手方向の断面を示す。
【００３０】
図１に示したイルミネーション板１において、光源２０ｂから光が照射されることで導光棒２０ｂが発光すると、図３に示すように、導光板３０の導光棒２０ｂが取り付けられた端辺から光が入射し、導光板３０内を光が進行していく。
【００３１】
そして、導光板３０の裏面には、断面が二等辺三角形となる凹部３１が設けられており、その凹部３１を形成する２つの面の一方が導光棒２０ｂに対してそれぞれ斜めに対向しているため、この面が反射面３２ｂとなって、導光板３０の導光棒２０ｂが取り付けられた端辺から入射した光の一部が導光板３０の外部に透過するとともに一部が導光板３０の内部に反射することになる。反射面３２ｂにて反射した光は、導光板３０の凹部３１が設けられた面に対向する面から透過していくことで、その面側から視認することができるが、視認される光の明るさは、導光板３０の導光棒２０ｂが取り付けられた端辺から入射した光の反射面３２ｂに対する入射角θ3と同じ大きさの反射角θ4の方向が最も明るくなり、その方向からずれるにしたがって徐々に暗くなっていく。
【００３２】
図４は、図１に示したイルミネーション板１を視認する方向に応じた見え方の違いを説明するための図である。
【００３３】
図１に示したイルミネーション板１においては、導光棒２０ａの発光によって導光板３０内を進行して反射面３２ａにて反射した光は、図２を用いて説明したように、導光板３０の凹部３１が設けられた面に対向する面側において、その光の反射面３２ａに対する入射角θ1と同じ大きさの反射角θ2の方向が最も明るくなり、その方向からずれるにしたがって徐々に暗くなっていく。
【００３４】
一方、導光棒２０ｂの発光によって導光板３０内を進行して反射面３２ｂにて反射した光は、図３を用いて説明したように、導光板３０の凹部３１が設けられた面に対向する面側において、その光の反射面３２ｂに対する入射角θ3と同じ大きさの反射角θ4の方向が最も明るくなり、その方向からずれるにしたがって徐々に暗くなっていく。
【００３５】
そのため、導光板３０の凹部３１が設けられた面に対向する面側において、導光棒２０ａの発光によって導光板３０内を進行してきた光の反射面３２ａに対する入射角θ1と同じ大きさの反射角θ2の方向からイルミネーション板１を視認した場合、図４（ａ）に示すように、導光棒２０ａの発光によって導光板３０内を進行してきて反射面３２ａにて反射した光が明るく見え、導光棒２０ｂの発光によって導光板３０内を進行してきて反射面３２ｂにて反射した光が暗く見えることになる。
【００３６】
一方、導光板３０の凹部３１が設けられた面に対向する面側において、導光棒２０ｂの発光によって導光板３０内を進行してきた光の反射面３２ｂに対する入射角θ3と同じ大きさの反射角θ4の方向からイルミネーション板１を視認した場合は、図４（ｂ）に示すように、導光棒２０ｂの発光によって導光板３０内を進行してきて反射面３２ｂにて反射した光が明るく見え、導光棒２０ａの発光によって導光板３０内を進行してきて反射面３２ａにて反射した光が暗く見えることになる。
【００３７】
そして、凹部３１の反射面３２ａに対する反射角θ2の方向から反射面３２ｂに対する反射角θ4の方向に視認方向を変化させていくと、反射面３２ａにて反射した光が徐々に暗くなっていくとともに、反射面３２ｂにて反射した光が徐々に明るくなっていく。また反対に、凹部３１の反射面３２ｂに対する反射角θ4の方向から反射面３２ａに対する反射角θ2の方向に視認方向を変化させていくと、反射面３２ａにて反射した光が徐々に明るくなっていくとともに、反射面３２ｂにて反射した光が徐々に暗くなっていく。
【００３８】
このように、導光板３０の凹部３１が設けられた面に対向する面側からイルミネーション板１を視認する方向や視点に応じて、凹部３１を構成する反射面３２ａ，３２ｂにて反射した光の明るさが変化し、さらに、この変化が、導光棒２０ａ，２０ｂのそれぞれから導光板３０に入射した光毎に独立したものとなっているため、イルミネーション板１を視認する方向や視点によって互いに異なるイメージが認識されることになり、加飾性を向上させることができる。
【００３９】
なお、光源１０ａ，１０ｂから互いに異なる色の光を照射することも考えられる。その場合、発光棒２０ａ，２０ｂが互いに異なる色に発光することとなり、上述した作用効果が複数の色によって生じることとなり、加飾性をさらに向上させることができる。
【００４０】
また、図１に示したイルミネーション板１においては、正面から視認した場合でも、奥行きや立体感がある光り方を認識することができる。以下にその作用効果について説明する。
【００４１】
図５は、図１に示したイルミネーション板１を正面から視認した場合の作用効果を説明するための図である。
【００４２】
上述したように、図１に示したイルミネーション板１において、光源１０ａ，１０ｂから照射された光によって導光棒２０ａ，２０ｂが発光した場合、その発光による光は、導光板３０に入射し、その後、導光板３０に設けられた凹部３１の反射面３２ａ，３２ｂにて反射し、導光板３０の凹部３１が設けられた面に対向する面側から視認されることになる。その際、反射面３２ａ，３２ｂが、導光棒２０ａ，２０ｂに対してそれぞれ斜めに対向しているため、導光板３０の凹部３１が設けられた面に対向する面側からは、図５に示すように、互いに異なる方向を向いた反射面３２ａ，３２ｂにて反射した光が視認される。それにより、奥行きや立体感がある光り方が認識されることになる。
【００４３】
また、図１に示したイルミネーション板１においては、光源１０ａ，１０ｂによって導光棒２０ａ，２０ｂを排他的に発光させることも考えられる。以下に、その場合の作用効果について説明する。
【００４４】
図６は、図１に示したイルミネーション板１において光源１０ａ，１０ｂによって導光棒２０ａ，２０ｂを排他的に発光させた場合の見え方の違いを説明するための図である。
【００４５】
図１に示したイルミネーション板１において、光源１０ａ，１０ｂのうち光源１０ａのみから光を照射し、光源１０ｂからは光を照射しないと、導光棒２０ａ，２０ｂのうち、導光棒２０ａのみが発光して導光棒２０ｂが発光しない状態となる。
【００４６】
この状態において、導光板３０の凹部３１が設けられた面に対向する面からイルミネーション板１を視認した場合、図６（ａ）に示すように、導光棒２０ａの発光による光を反射させる反射面３２ａにて反射した光が視認される一方、導光棒２０ｂの発光による光を反射させる反射面３２ｂからは光が反射しないことで光が認識されないことになる。
【００４７】
一方、図１に示したイルミネーション板１において、光源１０ａ，１０ｂのうち光源１０ｂのみから光を照射し、光源１０ａからは光を照射しないと、導光棒２０ａ，２０ｂのうち、導光棒２０ｂのみが発光して導光棒２０ａが発光しない状態となる。
【００４８】
この状態において、導光板３０の凹部３１が設けられた面に対向する面からイルミネーション板１を視認した場合、図６（ｂ）に示すように、導光棒２０ｂの発光による光を反射させる反射面３２ｂにて反射した光が視認される一方、導光棒２０ａの発光による光を反射させる反射面３２ａからは光が反射しないことで光が認識されないことになる。
【００４９】
このように、光源１０ａ，１０ｂによって導光棒２０ａ，２０ｂを排他的に発光させれば、イルミネーション板１を視認する方向や視点を変化させなくても、導光棒２０ａ，２０ｂの発光状態に応じて異なるイメージが認識されることになる。なお、この場合においても、光源１０ａ，１０ｂから互いに異なる色の光を照射する構成とすることで、色が異なることによっても、異なるイメージを認識させることができる。
【００５０】
また、この作用に加えて、光源１０ａ，１０ｂによって導光棒２０ａ，２０ｂの両方を発光させれば、導光板３０の凹部３１が設けられた面に対向する面からイルミネーション板１を視認した場合、導光棒２０ａ，２０ｂの発光による光を反射させる反射面３２ａ，３２ｂにて反射した光が両方とも視認されることになるため、光源１０ａ，１０ｂのうち光源１０ａのみから光を照射して光源１０ｂからは光を照射しない状態と、光源１０ａ，１０ｂのうち光源１０ａのみから光を照射して光源１０ｂからは光を照射しない状態と、光源１０ａ，１０ｂの両方から光を照射する状態との３つ状態に応じて互いに異なるイメージを認識させることができる。
【００５１】
（第２の実施の形態）
図７は、本発明のイルミネーション板の第２の実施の形態を示す図であり、（ａ）は表面側から見た図、（ｂ）は裏面側から見た図、（ｃ）は（ｂ）に示したＡ−Ａ’断面図である。
【００５２】
本形態は図７に示すように、図１に示したイルミネーション板１に対して、導光板１３０に設けられた凹部１３１の形状が異なるイルミネーション板１０１である。
【００５３】
本形態のイルミネーション板１０１における凹部１３１は、図１に示したイルミネーション板１と同様に導光板１３０の長手方向に山脈状に互いに並行して延びて複数形成されており、それぞれの導光板１３０の短手方向の断面が三角形となっている。そして、凹部１３１をそれぞれ形成する２つの面のうち一方は、導光棒１２０ａと導光棒１２０ａが取り付けられた端辺とが対向する方向に対して傾いた状態となることで導光棒１２０ａに対して斜めに対向した反射面１３２ａとなっているものの、凹部１３１をそれぞれ形成する２つの面のうち他方は、導光棒１２０ｂと導光棒１２０ｂが取り付けられた端辺とが対向する方向に対して垂直となることで導光棒１２０ｂに対して正対した反射面１３２ｂとなっている。
【００５４】
以下に、上記のように構成されたイルミネーション板１０１による作用効果について説明する。
【００５５】
図８は、図７に示したイルミネーション板１０１の導光棒２０ａの発光による導光板１３０における作用効果を説明するための図であり、導光板１３０の短手方向の断面を示す。
【００５６】
図７に示したイルミネーション板１０１において、光源１２０ａから光が照射されることで導光棒１２０ａが発光すると、図８に示すように、導光板１３０の導光棒２０ａが取り付けられた端辺から光が入射し、導光板１３０内を光が進行していく。
【００５７】
そして、導光板１３０の裏面には、断面が三角形となる凹部１３１が設けられており、その凹部１３１を形成する２つの面の一方が導光棒２０ａに対してそれぞれ斜めに対向しているため、この面が反射面１３２ａとなって、導光板１３０の導光棒２０ａが取り付けられた端辺から入射した光の一部が導光板１３０の外部に透過するとともに一部が導光板１３０の内部に反射することになる。反射面１３２ａにて反射した光は、導光板１３０の凹部３１が設けられた面に対向する面から透過していくことで、その面側から視認することができるが、視認される光の明るさは、導光板１３０の導光棒２０ａが取り付けられた端辺から入射した光の反射面１３２ａに対する入射角θ5と同じ大きさの反射角θ6の方向が最も明るくなり、その方向からずれるにしたがって徐々に暗くなっていく。
【００５８】
図９は、図７に示したイルミネーション板１０１の導光棒２０ｂの発光による導光板１３０における作用効果を説明するための図であり、導光板１３０の短手方向の断面を示す。
【００５９】
図７に示したイルミネーション板１０１において、光源２０ｂから光が照射されることで導光棒２０ｂが発光すると、図９に示すように、導光板１３０の導光棒２０ｂが取り付けられた端辺から光が入射し、導光板１３０内を光が進行していく。
【００６０】
そして、導光板１３０内を進行した光は、凹部１３１を形成する反射面１３２ｂに達するが、反射面１３２ｂが導光棒１２０ｂに対して正対したものとなっているため、導光板１３０内を進行した光は反射面１３２ｂにてそのほとんどが反射せずに導光板１３１の外部に透過していくことになる。
【００６１】
図１０は、図７に示したイルミネーション板１０１を視認する方向に応じた見え方の違いを説明するための図である。
【００６２】
図７に示したイルミネーション板１０１においては、導光棒２０ａの発光によって導光板１３０内を進行して反射面１３２ａにて反射した光は、図８を用いて説明したように、導光板１３０の凹部１３１が設けられた面に対向する面側において、その光の反射面１３２ａに対する入射角θ5と同じ大きさの反射角θ6の方向が最も明るくなり、その方向からずれるにしたがって徐々に暗くなっていく。
【００６３】
一方、導光棒２０ｂの発光によって導光板１３０内を進行した光は、そのほとんどが反射面１３２ｂにて反射せずに導光板１３０の外部に透過していくため、導光板１３０の凹部１３１が設けられた面に対向する面側からはその反射光はほとんど視認されない。
【００６４】
そのため、導光板１３０の凹部１３１が設けられた面に対向する面側において、導光棒２０ａの発光によって導光板１３０内を進行してきた光の反射面１３２ａに対する入射角θ5と同じ大きさの反射角θ6の方向からイルミネーション板１０１を視認した場合、図１０（ａ）に示すように、導光棒２０ａの発光によって導光板１３０内を進行してきて反射面１３２ａにて反射した光が明るく見える一方、反射面１３２ｂが視認できる領域においては、光がほとんど視認できないものとなる。
【００６５】
一方、導光板１３０の凹部１３１が設けられた面に対向する面側において、例えば、反射面１３２ａに正対する方向等、導光棒２０ａの発光によって導光板１３０内を進行してきた光の反射面１３２ａに対する入射角θ5と同じ大きさの反射角θ6の方向に対して大きくずれた方向からイルミネーション板１０１を視認した場合は、図１０（ｂ）に示すように、導光棒２０ａの発光によって導光板１３０内を進行してきて反射面１３２ａにて反射した光が暗く見える。その際、その方向から反射面１３２ｂが視認できない場合は、導光棒２０ａの発光によって導光板１３０内を進行してきて反射面１３２ａにて反射した光のみが視認されることとなる。
【００６６】
そして、凹部１３１の反射面１３２ａに対する反射角θ6の方向から視認方向を変化させていくと、反射面１３２ａにて反射した光が徐々に暗くなっていき、さらには、視認方向が反射面１３２ｂを視認できない方向となると、暗くなった反射面１３２ａからの光のみが視認されることになる。
【００６７】
このように、導光板１３０の凹部１３１が設けられた面に対向する面側からイルミネーション板１０１を視認する方向や視点に応じて、凹部１３１を構成する反射面１３２ａにて反射した光の明るさが変化するため、光源２０ａ，２０ｂのうち一方の光源２０ａから照射された光が強調された状態で、イルミネーション板１０１を視認する方向や視点によって互いに異なるイメージが認識されることになり、加飾性を向上させることができる。
【００６８】
ここで、図７に示したイルミネーション板１０１においては、凹部１３１の反射面１３２ｂを透過した光は、反射面１３２ａを介して導光板１３０の内部に再度入射するため、実際には、その入射光も視認されることになる。
【００６９】
図１１は、図７に示したイルミネーション板１０１にて凹部１３１の反射面１３２ｂを透過した光による作用を説明するための図である。
【００７０】
上述したようにイルミネーション板１０１の反射面１３２ｂを透過した光は、図１１（ａ）に示すように、反射面１３２ａを介して導光板１３０の内部に再度入射する。そのため、導光板１３０の凹部１３１が設けられた面に対向する面側においては、反射面１３２ａを介して光が入射する入射角θ7の方向からイルミネーション板１０１を視認した場合、導光棒２０ａの発光によって導光板１３０内を進行してきて反射面１３２ｂを透過してその後反射面１３２ａから入射した光が最も明るく見え、凹部１３１の反射面１３２ａに対する入射角θ7の方向から視認方向を変化させていくと、反射面１３２ａから入射した光が徐々に暗くなっていく。
【００７１】
そして、導光板１３０の凹部１３１が設けられた面に対向する面側においては、上述したように導光棒２０ａの発光によって導光板１３１に入射して反射面１３２ａにて反射した光と、導光棒２０ｂの発光によって導光板１３１に入射して反射面１３２ｂから導光板１３０の外部に透過して反射面１３２ａから再度入射した光とが混ざり合って視認されることになる。
【００７２】
その際、反射面１３２ａ，１３２ｂに鏡面加工を施せば、図１１（ｂ）に示すように、導光棒２０ｂの発光によって導光板１３１に入射して反射面１３２ｂから導光板１３０の外部に透過した光が、反射面１３２ａにて反射して導光板１３０の内部に入射することがなくなり、それにより、導光棒２０ａの発光による光のみを視認させることができるようになる。
【００７３】
なお、反射面１３２ａ，１３２ｂの鏡面加工は、上述した作用のみならず、導光棒２０ａ，２０ｂの発光による光を、ライン状等、細くシャープな形状として視認させることが可能となるという作用も生じさせる。そのため、図１に示したイルミネーション板１においても、導光板３０の表面のうち、少なくとも反射面３２ａ，３２ｂに鏡面加工を施しておけば、導光棒２０ａ，２０ｂの発光による光を、ライン状等、細くシャープな形状として視認させることができるようになる。なお、鏡面加工ではなく、シボ加工を反射面３２ａ，３２ｂ，１３２ａ，１３２ｂに施しておけば、図４〜図６や図１０に示したように、導光棒２０ａ，２０ｂの発光による光が反射面３２ａ，３２ｂ，１３２ａ，１３２ｂ全体にて均一に反射していくこととなり、反射面３２ａ，３２ｂ，１３２ａ，１３２ｂ全体が均一に光って見えるようになる。
【００７４】
（第３の実施の形態）
図１２は、本発明のイルミネーション板の第３の実施の形態を示す図であり、（ａ）は表面側から見た図、（ｂ）は裏面側から見た図、（ｃ）は（ｂ）に示したＡ−Ａ’断面図、（ｄ）は（ｂ）に示したＢ−Ｂ’断面図である。
【００７５】
本形態は図１２に示すように、図１に示したイルミネーション板１に対して、導光板２３０の４つの端辺のそれぞれに、その一端に光源２１０ａ〜２１０ｄが取付けられた導光棒２２０ａ〜２２０ｄが取り付けられているとともに、導光板２３０に設けられた複数の凹部２３１の形状が異なるイルミネーション板２０１である。
【００７６】
イルミネーション板２０１における凹部２３１は、それぞれが四角錐の形状となっており、イルミネーション板２０１の一方の面にマトリックス状に形成されている。そして、凹部２３１を形成する４つの面は、導光棒２２０ａ〜２２０ｄと導光棒２２０ａ〜２２０ｄが取り付けられた端辺とが対向する方向に対して傾いた状態となることで導光棒２２０ａ〜２２０ｄに対してそれぞれ斜めに対向した反射面２３２ａ〜２３２ｄとなっており、これにより、反射面２３２ａ〜２３２ｄは、導光板２３０の導光棒２２０ａ〜２２０ｄが取り付けられた端辺から進行してきた光の一部を反射させることになる。
【００７７】
このように構成されたイルミネーション板２０１においても、導光板２３０の凹部２３１が設けられた面に対向する面側からイルミネーション板２０１を視認する方向や視点に応じて、凹部２３１を構成する反射面２３２ａ〜２３２ｄにて反射した光の明るさが互いに独立して変化する。それにより、イルミネーション板２０１を視認する方向や視点によって互いに異なるイメージが認識されることになり、加飾性を向上させることができる。さらに本形態においては、導光板２３０の４つの端辺のそれぞれに、その一端に光源２１０ａ〜２１０ｄが取付けられた導光棒２２０ａ〜２２０ｄが取り付けられているとともに、複数の凹部２３１を形成する面が、導光棒２２０ａ〜２２０ｄに対してそれぞれ斜めに対向した反射面２３２ａ〜２３２ｄを具備することで、イルミネーション板２０１を視認する方向をあらゆる方向に変えた場合でもさらに多くの互いに異なるイメージが認識されることになり、加飾性をさらに向上させることができる。
【００７８】
なお、本形態のように凹部２３１が四角錐の形状を有するものであっても、導光棒は、導光板２３０の４つの端辺のうち少なくとも任意の２つの端辺に取り付けられていればよい。その場合、凹部２３１を構成する４つの面のうち、導光棒に対して斜めに対向する面が反射面となる。それにより、導光棒の配置に応じても異なるパターンを認識させることができることになる。また、導光板２３０の４つの端辺のそれぞれに導光棒が取り付けられたものにおいて、導光棒にそれぞれ取り付けられた光源によって導光棒を選択的に発光させることによっても、異なるパターンを認識させることができる。
【００７９】
（第４の実施の形態）
図１３は、本発明のイルミネーション板の第４の実施の形態を示す図であり、（ａ）は表面側から見た図、（ｂ）は裏面側から見た図、（ｃ）は（ｂ）に示したＡ−Ａ’断面図である。
【００８０】
本形態は図１３に示すように、図７に示したイルミネーション板１０１に対して、導光板２３０の形状が異なるイルミネーション板３０１である。
【００８１】
本形態のイルミネーション板３０１における導光板２３０は、図７に示したものと同一形状からなる凹部３３１間に、導光板３３０の内側に凹んでいない平面部３３３を有している。
【００８２】
このように構成されたイルミネーション板３０１においては、平面部３３３にシボ加工を施しておくことにより、導光棒２０ａ，２０ｂの発光による光がそれぞれ平面部３３３にて反射することとなり、導光棒２０ａ，２０ｂの発光による光を、導光棒２０ａ，２０ｂそれぞれからの距離に応じた色の光で視認することができるようになる。具体的には、導光棒２０ａに近い平面部３３３にて反射した光においては導光棒２０ａの発光による光の色が強くなる一方で導光棒２０ｂの発光による光の色が弱くなり、また、導光棒２０ａから遠い平面部３３３にて反射した光においては導光棒２０ａの発光による光の色が弱くなる一方で導光棒２０ａの発光による光の色が強くなる。それにより、導光棒２０ａから遠い箇所では、導光棒２０ｂの発光による光の色が強い平面部３３３の中に導光棒２０ａの発光による光の色が反射面３３２ａでのみ浮き上がるように強調され、ライン状の光等、導光棒２０ａ，２０ｂの発光による光のいずれか一方のみを視認させる箇所を、より強調することが可能となる。
【００８３】
なお、上述した実施の形態にて示した凹部３１，１３１，２３１の深さは、０．２ｍｍよりも浅いと反射光によるイメージの違いがわかりにくくなるため、０．２ｍｍ以上であることが好ましい。また、凹部３１，１３１，２３１の深さが導光板３０，１３０，２３０の厚さの４／５を超えると、導光棒２０ａ，２０ｂ，２２０ａ〜２２０ｄの発光による光が導光板３０，１３０，２３０，３３０の反対側の端辺に向かって進行しにくくなるため、凹部３１，１３１，２３１の深さは、導光板３０，１３０，２３０，３３０の厚さの４／５以下であることが好ましい。
【００８４】
また、上述した実施の形態においては、断面が三角形となる凹部３１，１３１や四角錐の凹部２３１を例に挙げて説明したが、凹部を形成する面が曲面であるものであってもよい。その場合でも、曲面の一部が、導光棒に対して斜めに対向した反射面を具備することになる。また、複数の凹部の形状及びその配置は、上述した実施の形態においては説明をわかりやすくするために、導光板の短手方向の断面が三角形のものが導光板の長手方向に山脈状に互いに並行したものや、四角錐のものがマトリックス状に配置されたものを例に挙げて説明したが、そのような形状や配置に限らない。例えば、導光板の短手方向の断面が三角形であって導光板の長手方向に所定の長さを有する凹部が、所望の文字、模様、形状に応じた任意のパターンに複数配置されたものとすることで、イルミネーション板を見る方向や視点に応じて、その文字や模様、形状を、異なるイメージで認識させることができる。
【００８５】
また、上述した実施の形態においては、導光板３０，１３０，２３０，３３０の一方の表面に複数の凹部３１，１３１，２３１が設けられたものを例に挙げて説明したが、凹部３１，１３１，２３１の代わりに凸部であってもよく、また、導光板３０，１３０，２３０，３３０の両面に凹部や凸部が設けられた構成としてもよい。
【００８６】
また、導光棒が導光板の端辺に取り付けられたものではなく、導光棒が導光板の端辺にて導光板と一体化して設けられた構成とすることも考えられる。そのような構成とすることで、コストダウンを図ることができる。
【００８７】
また、上述したイルミネーション板１，１０１，２０１，３０１に対して、導光板３０，１３０，２３０，３３０の凹部３１，１３１，２３１に対向する面側に、例えば、ピアノブラック調の透過プレートを配置することも考えられる。このような透過プレートを配置することで、意匠性を向上させることができる。
【符号の説明】
【００８８】
１，１０１，２０１，３０１    イルミネーション板
１０ａ，１０ｂ，２１０ａ〜２１０ｄ    光源
２０ａ，２０ｂ，２２０ａ〜２２０ｄ    導光棒
３０，１３０，２３０，３３０    導光板
３１，１３１，２３１    凹部
３２ａ，３２ｂ，１３２ａ，１３２ｂ，２３２ａ〜２３２ｄ    反射面
３３３    平面部
【図１】
2020087722.tif 000003
【図２】
2020087722.tif 000004
【図３】
2020087722.tif 000005
【図４】
2020087722.tif 000006
【図５】
2020087722.tif 000007
【図６】
2020087722.tif 000008
【図７】
2020087722.tif 000009
【図８】
2020087722.tif 000010
【図９】
2020087722.tif 000011
【図１０】
2020087722.tif 000012
【図１１】
2020087722.tif 000013
【図１２】
2020087722.tif 000014
【図１３】
2020087722.tif 000015